(57)【要約】【課題】  構成ユニットや構成部品の選択性、拡張性および交換性を向上することができる電子機器を提供する。【解決手段】  本発明のノートブック型ＰＣ１は、ディスプレイ７とキーボード１５とコネクタ２１と嵌合部材５ａ，５ｂ，２５，２６とを有する上部筐体２と、演算部分と記憶部分と入出力制御部分とコネクタ２２と嵌合部材２７〜３０とを有する下部筐体３とを備えている。嵌合部材５ａ，５ｂ，２５，２６と嵌合部材２７〜３０とは互いに嵌合し、コネクタ２１とコネクタ２２とが電気的に接続されている。【選択図】        図２
2005284342.tif 000002
【特許請求の範囲】
【請求項１】
ディスプレイとキーボードと第１の接続部材と第１の嵌合部材とを有する第１の筐体と、
演算部分と記憶部分と入出力制御部分と第２の接続部材と第２の嵌合部材とを有する第２の筐体とを備え、
前記第１の嵌合部材と前記第２の嵌合部材とは互いに嵌合し、前記第１の接続部材と前記第２の接続部材とが電気的に接続されることを特徴とする、電子機器。
【請求項２】
前記ディスプレイと前記キーボードとはヒンジによって互いに結合されており、
前記第１の嵌合部材は前記ヒンジに連結していることを特徴とする、請求項１に記載の電子機器。
【請求項３】
前記第２の嵌合部材と勘合した状態の前記第１の嵌合部材を固定するためのねじをさらに備えることを特徴とする、請求項２に記載の電子機器。
【請求項４】
前記第１の筐体は下面に複数の前記第１の嵌合部材を有し、前記第２の筐体は上面に複数の前記第２の嵌合部材を有することを特徴とする、請求項２または３に記載の電子機器。
【請求項５】
前記第１の筐体は下面に複数の第３の嵌合部材を有し、前記第２の筐体は上面に複数の前記第４の嵌合部材を有し、
前記第３の嵌合部材と前記ヒンジとは互いに分離しており、前記第３の嵌合部材と前記第４の嵌合部材とは互いに嵌合することを特徴とする、請求項２〜４のいずれかに記載の電子機器。
【請求項６】
前記第１の筐体または前記第２の筐体に配置され、かつ前記第２の筐体または前記第１の筐体に懸けるための爪をさらに備えることを特徴とする、請求項１〜５のいずれかに記載の電子機器。
【請求項７】
前記爪を第１の筐体に回転可能に支持する支持部材と、前記爪の回転を固定するための固定部材とをさらに備え、
前記第２の筐体は前記爪を挿入するための挿入口をさらに有し、
前記爪を前記挿入口に挿入する際に、前記第２の筐体から力を受けて前記固定部材の固定が外れて前記爪は回転することを特徴とする、請求項６に記載の電子機器。
【請求項８】
前記第１の筐体は、前記電子機器の動作に応じた点灯をする複数の点灯部材と、前記複数の点灯部材を表示するための窓と、前記複数の点灯部材の各々の点灯の説明を表示するための表示部材とをさらに有し、前記表示部材は交換可能である、請求項１〜７のいずれかに記載の電子機器。
【請求項９】
前記表示部材は前記窓に配置され、かつ前記点灯部材の光を透過する透過する透過部分と、前記点灯部材の光を遮蔽する遮蔽部分とを有することを特徴とする、請求項８に記載の電子機器。
【発明の詳細な説明】
【技術分野】
【０００１】
本発明は、電子機器に関し、より特定的にはいわゆるノートブック型パーソナルコンピュータに関する。
【背景技術】
【０００２】
パーソナルコンピュータ（以下、ＰＣと記す）の形態として、デスクトップ型ＰＣとノートブック型ＰＣとがある。ノートブック型ＰＣはデスクトップ型ＰＣと比較して小型で可搬性があり便利である。なお、実開昭６３−３５１２５号公報（特許文献１）には、従来の電子機器の構成が示されている。
【特許文献１】実開昭６３−３５１２５号公報
【発明の開示】
【発明が解決しようとする課題】
【０００３】
しかしながら、ノートブック型ＰＣには次の欠点がある。まず、ノートブック型ＰＣでは、全体が一体化されて提供されるために、その構成ユニットや構成部品の組み合わせを製品購入段階で自由に選択することができない。すなわち、製品購入段階における構成ユニットや構成部品の選択性に乏しい。次に、製品購入後に性能・機能を向上させようとしても、構成ユニットや構成部品の交換ができなかったり、できる場合でも部品選択の幅が狭かったりするので、拡張性に制約がある。さらに、本体を買い替える場合、ノートブック型ＰＣでは全体が一体化されているために、全体の総入れ換えとなり、古いノートブック型ＰＣの構成ユニットや構成部品を流用できない。すなわち、製品購入後における拡張性に乏しく、構成ユニットや構成部品の交換性に乏しい。以下、これらの欠点について詳細に説明する。
【０００４】
一般的なデスクトップ型ＰＣでは、本体、ディスプレイ、キーボード、およびポインティングデバイス(マウス)といった構成ユニットが分離した構成になっており、ユーザが目的に応じて好みの構成ユニットを組み合わせることが可能である。また、本体に内蔵されるマザーボード、メモリモジュール、ドライブ(フロッピィディスクドライブ、ハードディスクドライブ、光ディスクドライブなど)、および拡張ボード(ＡＧＰ−Ｉ／Ｆ拡張ボード、ＰＣＩ−Ｉ／Ｆ拡張ボードなど)は、その機械的形状および電気的接続性が規格化されており、メーカを問わずユーザの目的に応じて交換可能となっている。したがって、デスクトップ型ＰＣにおいては、ユーザは任意の部分を交換して部分的に性能・機能を拡張することが可能である。また、たとえばキータッチやキー配列が気に入っているキーボードなど、継続使用したい部品がある場合は、本体の更新に関係なく継続して使用することができる。
【０００５】
一方、ノートブック型ＰＣでは、本体、キーボード、およびポインティングデバイスの全てが一体化されている。このため、まず購入段階で構成ユニットおよび構成部品の組み合わせ選択に制約がある。ユーザはメーカが用意したラインアップの中から仕様を選択せざるを得ず、ユーザの好み通りの仕様を選択できるとは限らない。このため、製品購入段階における構成ユニットや構成部品の選択性に乏しい。
【０００６】
また、ノートブック型ＰＣは小型化・軽量化を主眼に設計されており、拡張性は最優先の設計となっていない。このため、製品購入後の拡張が難しい。製品によっては、メインメモリの増設、ハードディスクドライブの交換、光ディスクドライブの交換、バッテリーパックの追加・交換を可能にしているものはあるが、これらの場合でもメーカ専用のオプションパーツを使用する必要がある場合が多く、デスクトップ型ＰＣのようにメーカを超えて規格化され、自由に交換が可能なものではない。
【０００７】
一般に、キーボードや、ポインティングデバイスや、平面ディスプレイなどのユーザインタフェイス部（以下、ＵＩ部）は、マザーボードや、メモリモジュールや、ドライブや、拡張ボードなどのベースユニット部（以下、ＢＵ部）と比較して技術的進歩が遅い傾向にある。このため、製品購入段階で高級なＵＩ部を選択したいというユーザからの要望や、製品購入後にＢＵ部を拡張および高速化したいというユーザからの要望が特に強かった。したがって、製品購入後における拡張性に乏しく、構成ユニットや構成部品の交換性に乏しい。
【０００８】
ここで、製品購入後の構成ユニットや構成部品の交換性をある程度改善することのできる技術が上記特許文献１に開示されている。上記特許文献１には、ＣＰＵ部と表示回路部とを収納した一の筐体と、記憶部と周辺回路部とを収納した別の一つの筐体とを備えるコンピュータ装置であって、コンピュータ装置の構成部品のうちＣＰＵ部と表示回路部とを交換可能な技術が開示されている。上記特許文献１に開示された技術では、コンピュータ装置を構成するＵＩ部などの構成ユニットや構成部品が具体的に示されていない。このため、製品購入段階における構成ユニットや構成部品の選択性に乏しいという問題や、製品購入後における拡張性に乏しく、構成ユニットや構成部品の交換性に乏しいという問題を十分に解決できるものではない。
【０００９】
したがって、本発明の目的は、構成ユニットや構成部品の選択性、拡張性および交換性を向上することができる電子機器を提供することである。
【課題を解決するための手段】
【００１０】
本発明の電子機器は、ディスプレイとキーボードと第１の接続部材と第１の嵌合部材とを有する第１の筐体と、演算部分と記憶部分と入出力制御部分と第２の接続部材と第２の嵌合部材とを有する第２の筐体とを備えている。第１の嵌合部材と第２の嵌合部材とは互いに嵌合し、第１の接続部材と第２の接続部材とが電気的に接続されている。
【００１１】
本発明の電子機器によれば、第１の筐体と第２の筐体とが嵌合によって結合して一体化する。また、ディスプレイおよびキーボードと、演算部分および記憶部分および入出力制御部分とが第１および第２の接続部材を介して電気的に接続される。したがって、電子機器として使用することができる。また、製品購入段階において、予算や求める性能に応じて第１の筐体および第２の筐体を自由に組み合わせることができるので、構成ユニットおよび構成部品の選択性を向上することができる。さらに、電子機器の技術的進歩に伴って、第１の筐体または第２の筐体のいずれかのみを交換することによって電子機器の高性能化を容易に行なうことができる。したがって、製品購入後における構成ユニットおよび構成部品の拡張性および交換性を向上することができる。
【００１２】
本発明の電子機器において好ましくは、ディスプレイとキーボードとはヒンジによって互いに結合されている。また、第１の嵌合部材はヒンジに連結している。
【００１３】
ヒンジを用いることによりディスプレイとキーボードと互いに重ね合わせて折りたたむことができる。また、折りたたんだ状態からディスプレイを開く際に発生するヒンジからの力を第１の嵌合部材を介して第２の筐体で受けることができる。これにより、ヒンジからの力を第１の筐体で受ける必要がなくなるので、第１の筐体を薄型化することができる。
【００１４】
本発明の電子機器において好ましくは、第２の嵌合部材と勘合した状態の第１の嵌合部材を固定するためのねじをさらに備えている。これにより、第１の嵌合部材が第２の嵌合部材から抜けることを防止できる。その結果、第１の筐体と第２の筐体との結合を強化することができる。
【００１５】
本発明の電子機器において好ましくは、第１の筐体は下面に複数の第１の嵌合部材を有しており、第２の筐体は上面に複数の第２の嵌合部材を有している。これにより、第１の筐体と第２の筐体とを複数の嵌合部材により位置決めすることができるので、第１の筐体を第２の筐体の上部の正しい位置に結合させることが容易にできる。
【００１６】
本発明の電子機器において好ましくは、第１の筐体は下面に複数の第３の嵌合部材を有しており、第２の筐体は上面に複数の前記第４の嵌合部材を有している。第３の嵌合部材とヒンジとは互いに分離しており、第３の嵌合部材と第４の嵌合部材とは互いに嵌合する。
【００１７】
これにより、第３の嵌合部材がヒンジと分離しているので、第１の筐体における任意の位置で第１の筐体と第２の筐体とを結合させることができる。したがって、第１の筐体と第２の筐体とを安定して結合することができる。
【００１８】
本発明の電子機器において好ましくは、第１の筐体または第２の筐体に配置され、かつ第２の筐体または第１の筐体に懸けるための爪をさらに備えている。これにより、第１の筐体と第２の筐体との結合を強化することができる。
【００１９】
本発明の電子機器において好ましくは、爪を第１の筐体に回転可能に支持する支持部材と、爪の回転を固定するための固定部材とをさらに備えている。第２の筐体は爪を挿入するための挿入口をさらに有している。爪を挿入口に挿入する際に、第２の筐体から力を受けて固定部材の固定が外れて爪は回転する。
【００２０】
これにより、第２の筐体に懸けた爪の回転を固定部材により固定することができるので、第１の筐体と第２の筐体とを爪により安定して固定することができる。また、第２の筐体に爪を懸ける際に爪の固定の解除を確認しなくても爪が回転するので、爪を挿入口に容易に挿入することができる。
【００２１】
本発明の電子機器において好ましくは、第１の筐体は、電子機器の動作に応じた点灯をする複数の点灯部材と、複数の点灯部材を表示するための窓と、点灯部材の点灯の説明を表示するための表示部材とをさらに有している。表示部材は交換可能である。
【００２２】
これにより、電子機器の高性能化に伴って電子機器の動作に応じた点灯をする点灯部材がさらに必要になった場合に、表示部材を交換することによって必要な点灯部材の増加に対応することができる。
【００２３】
本発明の電子機器において好ましくは、表示部材は窓の上部に配置され、かつ点灯部材の光を透過する透過する透過部分と、点灯部材の光を遮蔽する遮蔽部分とを有している。  
【００２４】
これにより、不要な点灯部材を遮蔽部分で覆い、必要な点灯部材を透過部分で覆うことで、電子機器の動作に応じた点灯をする点灯部材のみを外部へ表示することができる。
【発明の効果】
【００２５】
本発明の電子機器によれば、第１の筐体と第２の筐体とが嵌合によって結合して一体化する。また、ディスプレイおよびキーボードと、演算部分および記憶部分および入出力制御部分とが第１および第２の接続部材を介して電気的に接続される。したがって、電子機器として使用することができる。また、製品購入段階において、予算や求める性能に応じて第１の筐体および第２の筐体を自由に組み合わせることができるので、構成ユニットおよび構成部品の選択性を向上することができる。さらに、電子機器の技術的進歩に伴って、第１の筐体または第２の筐体のいずれかのみを交換することによって電子機器の高性能化を容易に行なうことができる。したがって、製品購入後における構成ユニットおよび構成部品の拡張性および交換性を向上することができる。
【発明を実施するための最良の形態】
【００２６】
以下、本発明の実施の形態について、図に基づいて説明する。
【００２７】
（実施の形態１）
図１は、本発明の実施の形態１におけるノートブック型ＰＣの構造を示す斜視図である。図２は、本発明の実施の形態１におけるノートブック型ＰＣの構造を示す分解斜視図である。
【００２８】
図１および図２に示すように、本実施の形態の電子機器としてのノートブック型ＰＣ１は、上部筐体２と、下部筐体３とを備えている。上部筐体２はＵＩ部を有しており、ディスプレイ（平面ディスプレイ）７と、キーボード１５と、ヒンジ２３，２４と、第１の嵌合部材としての複数の嵌合部材５ａ，５ｂと、第３の嵌合部材としての複数の嵌合部材２５，２６と、第１の接続部材としてのコネクタ２１とを主に有している。ディスプレイ７とキーボード１５とは上部筐体２内の両端に設けられたヒンジ２３，２４によって揺動可能に結合されており、これにより、ディスプレイ７は折りたたみ可能となっている。上部筐体２の下面にはコネクタ２１が凹形状で配置されており、また、上部筐体２の下面には嵌合部材５ａ，５ｂ，２５，２６の各々が凸形状で配置されている。なお、上部筐体２は、キーボード１５の図１中下側に設けられたポインティングデバイス１６と、キーボード１５の図１中左上に設けられたパワーボタン１３とをさらに有している。
【００２９】
図３は、本発明の実施の形態１におけるヒンジの構造を示す側面図である。図３に示すように、ヒンジ２３は、ディスプレイ７に固定される板４ａと、キーボード１５に固定される板４ｂと、板４ａと板４ｂとを揺動する揺動部分４ｃとを有している。また、板４ｂには、第１の嵌合部材としての凸形状の嵌合部材５ａが連結されている。なお、嵌合部材５ａの底部にはねじ８を止めるための溝４ｅが形成されている。同様に、ヒンジ２４には、第１の嵌合部材としての凸形状の嵌合部材５ｂが連結されている。
【００３０】
図１および図２を参照して、下部筐体３はＢＵ部を有しており、図示しない演算部分と記憶部分と入出力制御部分とを内部に有している。具体的には、マザーボード、メモリモジュール、ドライブ(フロッピィディスクドライブ，ハードディスクドライブ，光ディスクドライブなど)、および拡張ボードなどを下部筐体３は内部に有している。また、下部筐体３は第２の接続部材としてのコネクタ２２と、第２の嵌合部材としての複数の嵌合部材２７，２８と、第４の嵌合部材としての嵌合部材２９，３０とを有している。下部筐体３の上面にはコネクタ２２が凸形状で配置されており、また、下部筐体３の上面には嵌合部材２７〜３０の各々が凹形状で配置されている。
【００３１】
上部筐体２と下部筐体３とは、以下のようにして互いに結合する。嵌合部材５ａと嵌合部材２７とが互いに嵌合し、嵌合部材５ａは嵌合部材２７と嵌合した状態で下部筐体３の下面からねじ８で固定される。また、嵌合部材５ｂと嵌合部材２８とが互いに嵌合し、嵌合部材５ｂは嵌合部材２８と嵌合した状態で下部筐体３の下面からねじ９で固定される。また、嵌合部材２５と嵌合部材２９とが互いに嵌合し、嵌合部材２５は嵌合部材２９と嵌合した状態で下部筐体３の下面からねじ１０で固定される。また、嵌合部材２６と嵌合部材３０とが互いに嵌合し、嵌合部材２６は嵌合部材３０と嵌合した状態で下部筐体３の下面からねじ１１で固定される。さらに、コネクタ２１とコネクタ２２とが互いに嵌合することで電気的に接続される。
【００３２】
図４は、本発明の実施の形態１におけるノートブック型ＰＣのブロック図である。
【００３３】
上部筐体２は、ディスプレイ７と、ＵＳＢ（Universal Serial Bus）ポート５９と、インジケータ６２と、パワーボタン１３と、キーボード１５と、ポインティングデバイス１６と、コネクタ２１とを有している。ディスプレイ７と、ＵＳＢポート５９と、インジケータ６２と、パワーボタン１３と、キーボード１５と、ポインティングデバイス１６との各々は、コネクタ２１と電気的に接続されている。
【００３４】
下部筐体３は、ＣＰＵ（Central Processing Unit）５１と、コアロジック５２と、システムメモリ５３と、グラフィックコントローラ５４と、ハードディスク５５と、光学ディスクドライブ５６と、Ｉ／Ｏコントローラ５８と、ＵＳＢポート６０と、ＥＣ（Embedded Controller）６１と、キーボード／マウスコントローラ６４と、カードバスコントローラ６７と、カードソケット６８と、ＬＡＮ（Local Area Network）コントローラ６９と、バッテリーシステム７０と、コネクタ２２とを有している。なお、ＣＰＵ５１が演算部分であり、システムメモリ５３およびハードディスク５５が記憶部分である。また、コアロジック５２と、グラフィックコントローラ５４と、Ｉ／Ｏコントローラ５８と、ＥＣ６１と、キーボード／マウスコントローラ６４と、カードバスコントローラ６７と、ＬＡＮコントローラ６９とが入出力制御部分である。
【００３５】
プログラムの実行を行なうＣＰＵ５１からのプログラムの指示内容に基づき、コアロジック５２を介して、システムメモリ５３や、グラフィックコントローラ５４や、Ｉ／Ｏコントローラ５８や、その他のデバイスに対し、データの読み出しおよび書き込みなどの処理が行なわれる。コアロジック５２と、ＣＰＵ５１、システムメモリ５３、グラフィックコントローラ５４、およびＩ／Ｏコントローラ５８の各々との間の接続バスについては技術進歩が著しく、接続バスとしてさまざまな種類のものがある。一例を挙げれば、コアロジック５２とＣＰＵ５１との接続バス７１としてＦＳＢ（Fast Side Bus）、コアロジック５２とシステムメモリ５３との接続バス７２としてＤＤＲ（Double Data Rate）メモリインターフェイスバス、コアロジック５２とグラフィックコントローラ５４との接続バス７３としてＡＧＰ（Accelerated Graphics Port）バス、コアロジック５２とＩ／Ｏコントローラ５８との接続バス７３としてハブリンク（Hub-Link）などがある。ここでは、コアロジック５２とＣＰＵ５１との接続バス７１をプロセッサバス（Processor Bus）７１と呼び、コアロジック５２とシステムメモリ５３との接続バス７２をメモリバス（Memory Bus）７２と呼び、コアロジック５２とグラフィックコントローラ５４およびＩ／Ｏコントローラ５８との接続バス７３をシステムバス（System Bus）７３と呼ぶものとする。なお、以後の説明が容易なように、現在一般的に知られている接続バスの名称を取り上げている場合もあるが、本発明はそれらに限定されるものではない。
【００３６】
システムバス７３はＩ／Ｏコントローラ５８からさらに伸びて接続バス７７としてのシステムバス７７となる。システムバス７７はＩ／Ｏコントローラ５８と、ＥＣ６１、キーボード／マウスコントローラ６４、カードバスコントローラ６７、およびＬＡＮコントローラ６９の各々とを電気的に接続している。システムバス７３，７７は、Ｉ／Ｏコントローラ５８の前後で仕様が異なる場合もある。具体的には、コアロジック５２とＩ／Ｏコントローラ５８との接続バスがハブリンク（Hub-Link）で、Ｉ／Ｏコントローラ５８と、ＬＡＮコントローラ６９およびカードバスコントローラ６７との接続ハブがＰＣＩ（Peripheral Component Interface）の場合などである。このような場合には、Ｉ／Ｏコントローラ５８がブリッジ機能を搭載することで、Ｉ／Ｏコントローラ５８の前後での仕様の差を吸収している。
【００３７】
システムメモリ５３はシステムのメインメモリで、ＣＰＵ５１を動かすプログラムや、サブルーチンや、ワークエリアなどを格納しており、ＣＰＵ５１はこのシステムメモリ５３に格納されるプログラムに従って各種動作を行なう。
【００３８】
グラフィックコントローラ５４は、ＣＰＵ５１からのデータ書き込み内容に従って、ディスプレイインタフェイス７９およびコネクタ２１，２２の各々を介してディスプレイ７を制御する。ディスプレイ７は、ノートブック型ＰＣではＬＣＤ（Lucid Crystal Display）が一般的であり、ＬＶＤＳ（Low Voltage Differential Signaling）インタフェイスが代表的な接続インタフェイスである。
【００３９】
Ｉ／Ｏコントローラ５８は、ＣＰＵ５１からのデータ読み出しおよび書き込みの要求に従って、各種デバイスの制御を行なう。すなわち、Ｉ／Ｏコントローラ５８は、ディスクバスであるＡＴＡ（AT Attachment）７４などを介してハードディスク５５や光学ディスクドライブ５６に接続されている。そして、Ｉ／Ｏコントローラ５８は、ハードディスク５５や光学ディスクドライブ５６に対し、ＣＰＵ５１からの要求に応じてハードディスク５５上のデータの読み出し／書き込み、および光学ディスクドライブ５６にセットされるＣＤ（Compact Disk）やＤＶＤ（Digital Versatile Disk）などの光ディスクメディアに対する読み出し／書き込みといった動作を行なう。また、Ｉ／Ｏコントローラ５８は、ＬＡＮコントローラ６９や、カードバスコントローラ６７のカードソケット６８に挿入されたメモリカードなどのデバイスに対してもシステムバス７７を介してデータの読み出し／書き込みを行なう。また、Ｉ／Ｏコントローラ５８は、接続バス７６を介してＵＳＢポート６０に電気的に接続されている。また、Ｉ／Ｏコントローラ５８は、接続バス７５およびコネクタ２１，２２を介してＵＳＢポート５９に電気的に接続されている。ＵＳＢポート５９，６０には拡張されたデバイスが接続されている。
【００４０】
キーボード／マウスコントローラ６４は、接続バス７８の各々およびコネクタ２１，２２の各々を介してキーボード１５およびポインティングデバイス１６を制御する。キーボード／マウスコントローラ６４は、キーボード入力や、ポインティングデバイス１６の操作をＣＰＵ５１に伝える役割を持っている。また、キーボード／マウスコントローラ６４は、ＣＰＵ５１に電源が投入されていない省電力状態（いわゆるサスペンド／モード）からのキーボード１５およびポインティングデバイス１６の操作による復帰指示をＥＣ６１に伝える役割も持っている。ノートブック型ＰＣでは、キーボード／マウスコントローラ６４とキーボード１５との間は、キーボードマトリックスの信号を直接接続することが一般的である。
【００４１】
ＥＣ６１は電源の制御を行なう。ＥＣ６１は、システムバス７７の他、パワーボタン１３と電気的に接続しており、パワーボタン１３の操作によってシステムの電源のオン／オフ、および省電力状態の移行／復帰を行なう。また、ＥＣ６１はバッテリーシステム７０への充放電管理も行なう。インジケータ６２は、電源オン状態、バッテリーシステム７０の充放電状況、ハードディスク５５および光学ディスクドライブ５６の動作状況、およびキーボード１５の状態などを表示する。ＥＣ６１は接続バス８１およびコネクタ２１，２２の各々を介してパワーボタン１３と電気的に接続されており、インジケータ６２は接続バス８０およびコネクタ２１，２２の各々を介してＩ／Ｏコントローラ５８と電気的に接続されている。
【００４２】
また、上部筐体２が図５に示すブロック図を有していてもよい。図５は、本発明の実施の形態１の上部筐体の他のブロック図である。
【００４３】
図５に示すように、上部筐体２はＵＳＢハブ５９ａをさらに有している。また、上部筐体２はキーボード１５に代えてＵＳＢキーボード１５ａを有している。さらに、上部筐体２はポインティングデバイス１６に代えてＵＳＢポインティングデバイス１６ａを有している。インジケータ６２と、ＵＳＢキーボード１５ａと、ＵＳＢポインティングデバイス１６ａとの各々がＵＳＢハブ５９ａを介してコネクタ２１と電気的に接続されている。このように、インジケータ６２と、ＵＳＢキーボード１５ａと、ＵＳＢポインティングデバイス１６ａとの各々をＵＳＢ接続することにより、コネクタに電気的に接続する配線数を減らすことも可能である。
【００４４】
なお、デバイスとしてはＣＰＵ５１とコアロジック５２が一体化したものや、コアロジック５２とＩ／Ｏコントローラ５８とが一体になったもの、およびコアロジック５２とグラフィックコントローラ５４とが一体になったものなどの組み合わせもある。いずれのデバイスであっても働きは同じである。
【００４５】
上述のように、本実施の形態では、ディスプレイ７と、ＵＳＢポート５９と、インジケータ６２と、パワーボタン１３と、キーボード１５と、ポインティングデバイス１６とをＵＩ部、それ以外の部分をＢＵ部として物理的に分離し、ＵＩ部とＢＵ部との間をコネクタ２１，２２の各々で電気的に接続している。キーボード１５とキーボード／マウスコントローラ６４との間の接続は、通常、キーマトリックス信号で接続されているが、この接続方法では配線数が多くなりコネクタ２１，２２のピン数が増加する。このため、ポインティングデバイス１６との接続とともにＰＳ/２−Ｉ／Ｆでの接続や、ＵＳＢ接続を利用することもできる。
【００４６】
なお、本実施の形態のノートブック型ＰＣではＵＩ部およびＢＵ部の組み合わせが固定されないという点に注意すべきである。具体的には、ＵＩ部とＢＵ部との組み合わせによってディスプレイ７の解像度や色数などの仕様の違い、キーボード１５のキー配列などの仕様の違い、およびインジケータ６２の仕様の違いが生ずる。このため、ＢＵ部にはこれらの相違を吸収する仕組みが必要である。ディスプレイ７およびキーボード１５の仕様の違いについては、ＢＵ部にてあらかじめソフトウェアの設定を行っておくことで対処可能である。
【００４７】
上記のように、本実施の形態のノートブック型ＰＣ１では、ディスプレイ７と、キーボード１５と、ポインティングデバイス１６とを有するＵＩ部と、演算部分と記憶部分と入出力制御部分とを有するＢＵ部とが分離した構成になっている。そして、ノートブック型ＰＣ１の使用の際には、上部筐体２と下部筐体３とをドッキングさせる。
【００４８】
ＵＩ部とＢＵ部とは、それぞれがラインアップを持って提供されることを想定している。たとえば、上部筐体２は、ディスプレイ７のサイズや解像度に応じて複数のラインアップを持ち、また、下部筐体３は、マザーボードの性能や搭載ドライブの種類に応じて複数のラインアップを持っている。このように、ＵＩ部とＢＵ部が分離され、それぞれが複数のラインアップを持っていることで、双方が一体化しているノートブック型ＰＣより構成ユニットおよび構成部品の選択性が向上する。
【００４９】
また、拡張性についても，技術進歩の著しいＢＵ部のみを交換することができるため、通常のノートブック型ＰＣのように全体を買い替える必要がない。また、ＢＵ部を更新してもＵＩ部がそのまま流用できるので、たとえばＵＩ上重要な使い慣れたキータッチやキー配列を継続したまま、機能・性能はＢＵ部の置き換えにより最新のものにすることができる。したがって、製品購入後における構成ユニットおよび構成部品の拡張性および交換性を向上することができる。
【００５０】
本実施の形態のノートブック型ＰＣにおいては、ディスプレイ７とキーボード１５とはヒンジ２３，２４によって互いに結合されている。また、嵌合部材５ａ，５ｂはヒンジ２３，２４に連結している。これによる効果を以下に詳細に説明する。
【００５１】
ノートブック型ＰＣでは可搬性を確保することが大きなポイントとなっており、可搬性の確保のためには、ノートブック型ＰＣの小型化および軽量化が必須となる。ただし、小型化といっても底面積は平面ディスプレイのサイズ以下には小さくできないため、一般に小型化の方向性としては、底面積を平面ディスプレイのサイズまで絞った上で、厚みの低減を図る工夫を行っている。
【００５２】
本実施の形態のように上部筐体と下部筐体とに分離する構造の場合、上部筐体および下部筐体のそれぞれが独立して剛性を持たなければならない。そのため、従来の一体化したノートブック型ＰＣと比較して、上部筐体および下部筐体のそれぞれの厚みが強度維持のために増加しやすい。その結果、上部筐体と下部筐体とをドッキングさせた時の合計の厚みが従来のノートブック型ＰＣよりも大きくなりやすい。
【００５３】
図６は、嵌合部材がヒンジに連結していない場合に上部筐体に加わる力を模式的に示す図である。
【００５４】
図６に示すノートブック型ＰＣでは、嵌合部材２４ｂがヒンジ２４ａに連結していない。嵌合部材２４ｂはヒンジ２４ａとは離れた位置で下部筐体３の嵌合部材２８に嵌合している。特に、ディスプレイがヒンジによって開閉される構造では、ディスプレイの開閉の際にヒンジに大きな力がかかる。図５に示す構造では、ディスプレイ７を開く際にディスプレイ７は右回りに回転する力をヒンジ２４ａに与える。この力を受けて、ヒンジ２４ａにおけるキーボード１５に固定された部分が、キーボード１５に対して上向きの力を与える。ヒンジ２４ａとは離れた位置に設置されている嵌合部材２６はねじなどで固定されているので、キーボード１５に対する上向きの力は、上部筐体２を反らせる力となる。したがって、この力を受けても上部筐体が反らないように上部筐体に厚みを持たせてしまうと、上部筐体の薄型化を図ることが難しくなる。
【００５５】
図７は、本発明の実施の形態１におけるノートブック型ＰＣの上部筐体に加わる力を模式的に示す図である。
【００５６】
図７を参照して、本実施の形態では、嵌合部材５ｂはヒンジ２４に連結しており、嵌合部材２８と嵌合している。ディスプレイ７を開く際に右回りに回転する力がヒンジ２４に与えられると、この力を受けて、ヒンジ２４に連結した嵌合部材５ｂが嵌合部材２８に図７中左向きの力を与える。すなわち、ディスプレイ７を開く際に発生するヒンジ２４からの力を嵌合部材５ｂを介して下部筐体３で受けることができる。このように、上記構成によれば、ヒンジ２３，２４からの力を上部筐体２で受ける必要がなくなるので、上部筐体２に厚みを持たせる必要がなくなり、上部筐体２を薄型化することができる。
【００５７】
本実施の形態のノートブック型ＰＣ１においては、嵌合部材２７〜３０の各々と勘合した状態の嵌合部材５ａ，５ｂ，２５，２６の各々を固定するためのねじ８〜１１の各々をさらに備えている。これにより、嵌合部材５ａ，５ｂ，２５，２６が嵌合部材２７〜３０から抜けることを防止できる。その結果、上部筐体２と下部筐体３との結合を強化することができる。
【００５８】
本実施の形態のノートブック型ＰＣ１においては、上部筐体２は下面に複数の嵌合部材２５，２６を有しており、下部筐体３は上面に複数の嵌合部材２９，３０を有している。嵌合部材２５，２６とヒンジ２３，２４とは互いに分離しており、嵌合部材２５，２６の各々と嵌合部材２９，３０の各々とは互いに嵌合する。
【００５９】
これにより、嵌合部材２５，２６がヒンジ２３，２４と分離しているので、嵌合部材５ａ，５ｂとは離れた任意の位置で上部筐体２と下部筐体３とを結合させることができる。したがって、上部筐体２と下部筐体３とを安定して結合することができる。
【００６０】
本実施の形態のノートブック型ＰＣ１においては、上部筐体２は下面に複数の嵌合部材５ａ，５ｂを有しており、下部筐体３は上面に複数の嵌合部材２７，２８を有している。これにより、上部筐体２と下部筐体３とを複数の嵌合部材により位置決めすることができるので、上部筐体２を下部筐体３の上部の正しい位置に結合させることが容易にできる。
【００６１】
なお、本実施の形態においては、上部筐体２が凸形状の嵌合部材５ａ，５ｂ，２５，２６を有している場合について示したが、上部筐体が凹形状の嵌合部材を有していてもよい。この場合には、下部筐体は凸形状の嵌合部材を有している。また、嵌合部材の数や位置に関しては任意である。さらに本実施の形態においては、コネクタ２１，２２が互いに勘合する場合について示したが、本発明はこのような場合に限定されるものではなく、接続部材の形状、数、および位置については任意である。
【００６２】
また、本実施の形態においてはノートブック型ＰＣが図４または図５に示すブロック図を有している場合について示したが、本発明の電子機器は図４または図５に示すブロック図を有しているものに限定されるものではない。
【００６３】
（実施の形態２）
図８は、本発明の実施の形態２におけるノートブック型ＰＣの構造を示す分解斜視図である。図８に示すように、本実施の形態のノートブック型ＰＣ１ａは、上部筐体２に配置され、かつ下部筐体３に懸けるための爪３３，３４をさらに備えている。また、下部筐体３は爪３３，３４の各々を挿入するための挿入口である穴３１，３２をさらに有している。穴３１，３２の各々は、内部に比べて入り口が狭くなっている。上部筐体２と下部筐体３とが結合する際には、穴３１，３２の入り口を狭めている部分の下部筐体３に爪３３，３４が懸けられる。
【００６４】
図９は、爪が配置されている部分の拡大斜視図である。図９に示すように、爪３４は支持部材３５によって上部筐体２に回転可能に支持されている。また、爪３４の上部には、爪３４の回転を固定する固定部材としてのロックレバ３７が配置されている。ロックレバ３７の図９中右側には、ロックレバ３７を固定するための突起部３８が形成されている。爪３４とロックレバ３７との交差部分において、爪３４とロックレバ３７とは互いに連結されている。ロックレバ３７を図９中右方向にスライドし、突起部３８に固定すると、爪３４は右回りに回転した状態でロックされる。また、ロックレバ３７を図９中左方向にスライドし、突起部３８から外すと、爪３４のロックは解除され、爪３４は所定の範囲内で自由に回転可能となる。
【００６５】
なお、これ以外のノートブック型ＰＣ１ａの構成は、図１〜図５に示す実施の形態１のノートブック型ＰＣ１の構成とほぼ同様であるので、同一の部材には同一の符号を付し、その説明を省略する。
【００６６】
続いて、上部筐体と下部筐体とを結合する際の爪の動きについて説明する。
【００６７】
図１０〜図１２は、上部筐体と下部筐体とを結合する際の爪の動きを説明するための模式図である。
【００６８】
図１０を参照して、爪３４を穴３２に挿入して上部筐体２を下部筐体３上に配置する際に、爪３４が下部筐体３と接触する。爪３４は下部筐体３から左回りに回転する力を受ける。この力を受けてロックレバ３７が図１０中左方向にスライドし、突起部３８から外れる。
ロックレバ３７の固定が外れることで、爪３４は所定の範囲内で自由に回転可能となる。このため、下部筐体３から力を受けて爪３４は左回りに回転して穴３２内に入る。
【００６９】
図１１を参照して、ロックレバ３７を再び図１１中右方向にスライドし、突起部３８に固定すると、爪３４がロックレバ３７に連動して右回りに回転する。
【００７０】
図１２を参照して、爪３４が右回りに回転して固定されると、穴３２内において下部筐体３に図１２中上方向の力を加える。その結果、上部筐体２と下部筐体３とが固定される。なお、爪３３も爪３４とほぼ同様の構成となっており、上部筐体２と下部筐体３とを結合する際の爪３３の動きも爪３４の動きとほぼ同様である。
【００７１】
本実施の形態のノートブック型ＰＣ１ａは、上部筐体２に配置され、かつ下部筐体３に懸けるための爪３３，３４をさらに備えている。これにより、上部筐体２と下部筐体３との結合を強化することができる。
【００７２】
本実施の形態のノートブック型ＰＣ１ａは、爪３３，３４を上部筐体２に回転可能に支持する支持部材３５と、爪３３，３４の回転を固定するためのロックレバ３７とをさらに備えている。下部筐体３は爪３３，３４を挿入するための穴３１，３２をさらに有している。爪３３，３４を穴３１，３２に挿入する際に、下部筐体３から力を受けてロックレバ３７の固定が外れて爪３３，３４は回転する。
【００７３】
これにより、下部筐体３に懸けた爪３３，３４の各々の回転をロックレバ３７により固定することができるので、上部筐体２と下部筐体３とを爪３３，３４の各々により安定して固定することができる。また、下部筐体３に爪３３，３４の各々を懸ける際に爪３３，３４の固定の解除を確認しなくても爪３３，３４の各々が回転するので、爪３３，３４の各々を穴３１，３２の各々に容易に挿入することができる。
【００７４】
なお、本実施の形態においては、爪３３，３４が上部筐体２の前方に配置される場合について示したが、爪の形状、数、および位置については任意であり、２つの筐体のいずれかに懸けるものであればよい。したがって、下部筐体３に爪が配置されていてもよい。
【００７５】
（実施の形態３）
図１３は、本発明の実施の形態３におけるノートブック型ＰＣの構造を示す斜視図である。図１４は、本発明の実施の形態３における複数のＬＥＤが配置されている部分を拡大した分解斜視図である。
【００７６】
図１３および図１４に示すように、本実施の形態のノートブック型ＰＣ１ｂにおいて、上部筐体２ｂは、点灯部材としての複数のＬＥＤ（Light-Emitting Diode）４０ａ〜４０ｇと、窓４１と、表示部材４３とを有している。ＬＥＤ４０ａ〜４０ｇの各々は、ノートブック型ＰＣ１ｂの動作に応じた点灯をし、ＬＥＤ４０ａ〜４０ｇの各々の点灯は、窓４１を介して表示される。ここで、ノートブック型ＰＣ１ｂの動作とは、たとえば電源状態や、ハードディスクの動作状態や、ＤＶＤへの書き込み動作などである。
【００７７】
表示部材４３は、開口部４２から挿入されることにより、窓４１に配置される。表示部材４３は交換可能である。表示部材４３は、ＬＥＤの光を透過する透過する透過部分４３ａと、ＬＥＤの光を遮蔽する遮蔽部分４３ｂとを有している。透過部分４３ａにはＬＥＤ４０ａ〜４０ｃの点灯の説明がアイコンや文字などによって表示されている。遮蔽部分４３ｂで上部を覆われたＬＥＤは外部から見えない。
【００７８】
ＬＥＤ４０ａ〜４０ｇの点灯は、ＢＵ部である下部筐体３の性能によって変化するので、下部筐体３の交換とともに表示部材４３も交換される。本実施の形態ではＬＥＤ４０ａ〜４０ｃのみがノートブック型ＰＣ１ｂの動作に応じた点灯をし、ＬＥＤ４０ｄ〜４０ｇがノートブック型ＰＣ１ｂの動作に応じた点灯をするのに使われない（点灯しない）場合について示している。この場合には、ＬＥＤ４０ａ〜４０ｃの上部に透過部分４３ａが形成され、ＬＥＤ４０ｄ〜４０ｇの上部に遮蔽部分４３ｂが形成されているような表示部材４３が用いられる。これによりＬＥＤ４０ａ〜４０ｃのみを外部へ表示することができ、ＬＥＤ４０ａ〜４０ｃの点灯によってノートブック型ＰＣ１ｂの動作を表示することができる。
【００７９】
なお、これ以外のノートブック型ＰＣ１ｂの構成は、図１〜図５に示す実施の形態１のノートブック型ＰＣ１の構成とほぼ同様であるので、同一の部材には同一の符号を付し、その説明を省略する。
【００８０】
本実施の形態のノートブック型ＰＣ１ｂにおいては、上部筐体２は、ノートブック型ＰＣ１ｂの動作に応じた点灯をする複数のＬＥＤ４０ａ〜４０ｇと、複数のＬＥＤ４０ａ〜４０ｇを表示するための窓４１と、複数のＬＥＤ４０ａ〜４０ｇの点灯の説明を表示するための表示部材４３とをさらに有している。表示部材４３は交換可能である。
【００８１】
通常、ノートブック型ＰＣには見やすい位置にＬＥＤが設けられており、電源状態、ハードディスクの作動状況などを示す機能が割り当てられている。しかし、必要なインジケータの数や種類は、下部筐体３内のＢＵ部の仕様に依存する。このため、本実施の形態のように、上部筐体２と下部筐体３とが別々の構成である場合には、上部筐体２でＬＥＤの個数や点灯仕様をあらかじめ決めておくことはできない。したがって、上部筐体２には最大限に考えられるＬＥＤを装備しておき、下部筐体３と組み合わせた時に必要なものだけを表示部材４３によりマーキングして示すようにして対応することができる。
【００８２】
本実施の形態のノートブック型ＰＣ１ｂにおいて好ましくは、表示部材４３は窓４１に配置され、かつＬＥＤ４０ａ〜４０ｇの光を透過する透過する透過部分４３ａと、ＬＥＤ４０ａ〜４０ｇの光を遮蔽する遮蔽部分４３ｂとを有している。
【００８３】
これにより、不要なＬＥＤを遮蔽部分４３ｂで覆い、必要なＬＥＤを透過部分４３ａで覆うことで、ノートブック型ＰＣ１ｂの動作に応じた点灯をするＬＥＤ４０ａ〜４０ｃのみを外部へ表示することができる。
【００８４】
なお、本実施の形態においては、表示部材４３が窓４１に配置される場合について示したが、表示部材４３の位置や形状については任意である。
【００８５】
（実施の形態４）
図１５は、本発明の実施の形態４における複数のＬＥＤが配置されている部分を拡大した分解斜視図である。
【００８６】
図１５に示すように、本実施の形態においては、表示部材４３が、上部筐体２ｃの窓４１の下部に配置されている。表示部材４３は凹部４４に嵌め込まれており、交換可能となっている。表示部材４３には、複数のＬＥＤ４０ａ〜４０ｄの各々の点灯の説明が表示されている。
【００８７】
なお、これ以外の構成は、図１３に示す実施の形態３のノートブック型ＰＣ１ｂの構成とほぼ同様であるので、同一の部材には同一の符号を付し、その説明を省略する。
【００８８】
本実施の形態のように、表示部材４３が窓４１の下部に設けられていてもよく。表示部材４３が凹部４４に嵌め込まれており、交換可能となっていてもよい。表示部材４３が上記構成であっても実施の形態３とほぼ同様の効果を得ることができる。
【００８９】
なお、表示部材としては、本実施の形態に示すような構成の他、たとえば筆記具で複数のＬＥＤ４０ａ〜４０ｇの点灯の説明を記入したテープ状の表示部材であってもよい。この場合には、表示部材をＬＥＤ４０ａ〜４０ｇの付近に貼り付けることにより本実施の形態の表示部材４３とほぼ同様の効果を得ることができる。
【００９０】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正や変形を含むものと意図される。
【図面の簡単な説明】
【００９１】
【図１】本発明の実施の形態１におけるノートブック型ＰＣの構造を示す斜視図である。
【図２】本発明の実施の形態１におけるノートブック型ＰＣの構造を示す分解斜視図である。
【図３】本発明の実施の形態１におけるヒンジの構造を示す側面図である。
【図４】本発明の実施の形態１におけるノートブック型ＰＣのブロック図である。
【図５】本発明の実施の形態１の上部筐体の他のブロック図である。
【図６】嵌合部材がヒンジに連結していない場合に上部筐体に加わる力を模式的に示す図である。
【図７】本発明の実施の形態１におけるノートブック型ＰＣの上部筐体に加わる力を模式的に示す図である。
【図８】本発明の実施の形態２におけるノートブック型ＰＣの構造を示す分解斜視図である。
【図９】本発明の実施の形態２における爪が配置されている部分の拡大斜視図である。
【図１０】上部筐体と下部筐体とを結合する際の爪の動きの第１状態を示す図である。
【図１１】上部筐体と下部筐体とを結合する際の爪の動きの第２状態を示す図である。
【図１２】上部筐体と下部筐体とを結合する際の爪の動きの第３状態を示す図である。
【図１３】本発明の実施の形態３におけるノートブック型ＰＣの構造を示す斜視図である。
【図１４】本発明の実施の形態３における複数のＬＥＤが配置されている部分を拡大した分解斜視図である。
【図１５】本発明の実施の形態４における複数のＬＥＤが配置されている部分を拡大した分解斜視図である。
【符号の説明】
【００９２】
１，１ａ，１ｂ  ノートブック型ＰＣ、２，２ｂ，２ｃ  上部筐体、３  下部筐体、４ａ，４ｂ  板、４ｃ  揺動部分、４ｅ  溝、５ａ，５ｂ，２４ｂ，２５〜３０  嵌合部材、７  ディスプレイ、８〜１１  ねじ、１３  パワーボタン、１５  キーボード、１５ａ  ＵＳＢキーボード、１６  ポインティングデバイス、１６ａ  ＵＳＢポインティングデバイス、２１，２２  コネクタ、２３，２４、２４ａ  ヒンジ、３１，３２  穴、３３，３４  爪、３５  支持部材、３７  ロックレバ、３８  突起部、４０ａ〜４０ｇ  ＬＥＤ、４１  窓、４２  開口部、４３  表示部材、４３ａ  透過部分、４３ｂ  遮蔽部分、４４  凹部、５１  ＣＰＵ、５２  コアロジック、５３  システムメモリ、５４  グラフィックコントローラ、５５  ハードディスク、５６  光学ディスクドライブ、５８  Ｉ／Ｏコントローラ、５９，６０  ＵＳＢポート、５９ａ  ＵＳＢハブ、６１  ＥＣ、６２  インジケータ、６４  キーボード／マウスコントローラ、６７  カードバスコントローラ、６８  カードソケット、６９  ＬＡＮコントローラ、７０  バッテリーシステム、７１〜７３，７５〜７８，８０，８１  接続バス、７４  ＡＴＡＰＩ、７９  ディスプレイインタフェイス。
【図１】
2005284342.tif 000003
【図２】
2005284342.tif 000004
【図３】
2005284342.tif 000005
【図４】
2005284342.tif 000006
【図５】
2005284342.tif 000007
【図６】
2005284342.tif 000008
【図７】
2005284342.tif 000009
【図８】
2005284342.tif 000010
【図９】
2005284342.tif 000011
【図１０】
2005284342.tif 000012
【図１１】
2005284342.tif 000013
【図１２】
2005284342.tif 000014
【図１３】
2005284342.tif 000015
【図１４】
2005284342.tif 000016
【図１５】
2005284342.tif 000017